(57)【要約】【課題】引き出し可能な吐水ヘッドと、これを保持するホルダとを備えて吐水管を構成して成る水栓において、使用者が吐水ヘッドをどのような持ち方をした場合であっても、光温度表示部による表示を近い位置で見ることができるようにする。【解決手段】  吐水管１６をホース２０とともに引出し可能な吐水ヘッド２２と、吐水ヘッド２２を保持するホルダ２４とを備えて構成して成る水栓において、光温度表示部１６２をホルダ２４側且つホルダ２４の先端面と吐水ヘッド２２とで管軸方向に挟まれる位置に設けておく。【選択図】        図１７
2006144331.tif 000002
【特許請求の範囲】
【請求項１】
吐水の温度を光の色で表示する光温度表示部を設けて成る水栓において
吐水管をホースとともに引出し可能な吐水ヘッドと、該吐水ヘッドを保持するホルダとを備えて構成し、前記光温度表示部を前記ホルダ側且つ該ホルダの先端面近傍に設けたことを特徴とする水栓。
【請求項２】
請求項１において、前記光温度表示部を前記ホルダと吐水ヘッドとで管軸方向に挟まれる位置に設けてあることを特徴とする水栓。
【請求項３】
請求項１，２の何れかにおいて、前記光温度表示部が透光性部材にて構成してあり、別途に設けた光源からの光を該光温度表示部に照射することによって、該照射光を該光温度表示部を内部透過させた上、該光温度表示部の外表面から外部に放射するものとなしてあることを特徴とする水栓。
【請求項４】
請求項３において、前記光温度表示部には前記吐水管の基部側に延出する被照射部が設けてあり、該被照射部に対向して設けた前記光源からの光を該被照射部に照射するようになしてあることを特徴とする水栓。
【請求項５】
請求項１〜４の何れかにおいて、前記ホルダが回動可能となしてあるとともに、前記光温度表示部がリング状外周面において前記吐水管の外周面で露出させてあり、該リング状外周面において光の色により温度表示するものとなしてあることを特徴とする水栓。
【発明の詳細な説明】
【技術分野】
【０００１】
この発明は、吐水管がホースとともに引き出し可能な吐水ヘッドと、これを保持するホルダとを備えたホース収納式の水栓に関し、詳しくは吐水の温度を光の色で表示する光温度表示部を備えたものに関する。
【背景技術】
【０００２】
キッチンやトイレ或いは洗面化粧室や浴室等の水回り衛生室には各種の水栓が設置されている。
ところで水と湯とを混合して吐水口から吐水する湯水混合水栓においては、通常、温調ハンドル（温度調節ハンドル）自体若しくは周りに表示部が設けてあって、そのハンドルの操作位置によって吐水口からの吐水の温度をある程度予想することができるものの、温調ハンドル位置による表示は間接的であって分かり辛い上に、給水圧や給湯圧の変動によって、同じ温調ハンドル位置であっても吐水口からの実際の吐水の温度がばらついたりする問題がある。
【０００３】
このように従来の水栓にあっては使用者に対して吐水の温度を明確且つ積極的に認識させるための手段を特に備えておらず、この場合使用者が吐水口から吐水させたときに予期せず高温の湯が出てしまって使用者を驚かせ、或いは熱い思いをさせてしまったり又は逆に予期せず冷たい水が出てしまったり使用者に不快感を与えてしまうといったことが起こり得る。
【０００４】
そこで下記特許文献１には、吐水温度が高温であるときにＬＥＤ警告灯を発光させて（積極的に）これを警告するように成した水栓が開示されている。
この特許文献１に具体的に開示された水栓はホース収納式水栓、即ち吐水ヘッドをホースとともにホルダから引き出して使用可能な水栓であって、その吐水ヘッドの頂面にＬＥＤ警告灯を設けたものである。
【０００５】
近時、特にキッチン水栓ではこの種のホース収納式水栓が好んで用いられており、特許文献１に開示のものは、吐水ヘッドをホルダから引き出して自在に位置移動できる機能の他に、吐水温度が高温であるときに警告を発する機能を持たせたことによって、水栓の利便性，安全性が高まる利点が得られるが、この特許文献１に開示の水栓では、ＬＥＤ警告灯を吐水ヘッドの頂面に設けていることから、使用者が吐水ヘッドを手に持って引き出したときに、そのＬＥＤ警告灯が手の裏に隠れてしまう可能性があり、警告灯即ち光による表示の見易さの点で問題が残る。
【０００６】
他方下記特許文献２には、吐水管の基端部の起立部に吐水温度を各種の光の色で表示する光温度表示部を設けた点が開示されている。
しかしながらこの特許文献２に開示のものはホース収納式水栓ではなく、また光温度表示部が使用者からみて遠い位置にあるため、光温度表示部による表示が使用者にとって必ずしも見易いものでないといった難点がある。
【０００７】
【特許文献１】特開２００１−１４６７７４号公報
【特許文献２】特開２００１−１２３４８５号公報
【発明の開示】
【発明が解決しようとする課題】
【０００８】
本発明はこのような事情を背景とし、キッチン水栓等として好適に使用可能なホース収納式水栓、即ちホースとともに引き出し可能な吐水ヘッドと、これを保持するホルダとを備えて吐水管を構成して成る水栓において、使用者が吐水ヘッドをどのような持ち方をした場合であっても光温度表示部による表示を、近い位置で見ることができ、また使用者が特に意識していなくても温度表示が光の色によって使用者の視界に自然に入って来、温度表示を使用者に対して積極的に行い得る光温度表示部付きの水栓を提供することを目的として成されたものである。
【課題を解決するための手段】
【０００９】
而して請求項１のものは、吐水の温度を光の色で表示する光温度表示部を設けて成る水栓において、吐水管をホースとともに引出し可能な吐水ヘッドと、該吐水ヘッドを保持するホルダとを備えて構成し、前記光温度表示部を前記ホルダ側且つ該ホルダの先端面近傍に設けたことを特徴とする。
【００１０】
請求項２のものは、請求項１において、前記光温度表示部を前記ホルダと吐水ヘッドとで管軸方向に挟まれる位置に設けてあることを特徴とする。
【００１１】
請求項３のものは、請求項１，２の何れかにおいて、前記光温度表示部が透光性部材にて構成してあり、別途に設けた光源からの光を該光温度表示部に照射することによって、該照射光を該光温度表示部を内部透過させた上、該光温度表示部の外表面から外部に放射するものとなしてあることを特徴とする。
【００１２】
請求項４のものは、請求項３において、前記光温度表示部には前記吐水管の基部側に延出する被照射部が設けてあり、該被照射部に対向して設けた前記光源からの光を該被照射部に照射するようになしてあることを特徴とする。
【００１３】
請求項５のものは、請求項１〜４の何れかにおいて、前記ホルダが回動可能となしてあるとともに、前記光温度表示部がリング状外周面において前記吐水管の外周面で露出させてあり、該リング状外周面において光の色により温度表示するものとなしてあることを特徴とする。
【発明の作用・効果】
【００１４】
以上のように本発明は、ホース収納式の水栓において吐水の温度を光の色で表示する光温度表示部をホルダ側且つホルダの先端面近傍に設けたもので、本発明によれば、吐水ヘッドを手に持ち引き出した状態で、光温度表示部による表示を見ることができ、しかも使用者に可及的に近い位置で表示を見ることができ、吐水口からの吐水の温度を容易に認識することができる。
【００１５】
また本発明では吐水の温度を光の色で表示するため、使用者が特に意識をしていなくても自然にその光表示が目に入って来、予期に反して高温の湯が出てしまったり或いは冷水が出てしまったりといった不都合を是正することができる。
この場合において光温度表示部は、ホルダと吐水ヘッドとで管軸方向に挟む位置に設けておくことができる（請求項２）。
【００１６】
請求項３は光温度表示部を透光性部材にて構成し、別途に設けた光源からの光をその光温度表示部材に照射して光温度表示部材を内部透過させた上、外表面から外部に放射するようになしたもので、この請求項３によれば、光源からの光が直接外部に放射されるのでなく、透光性部材から成る光温度表示部を内部透過した上、外周面から放射されるため、光温度表示部の外周面全面から広い範囲に亘って均等に外部に放射でき、表示性能，識別性能を効果的に高めることができる。
【００１７】
ここで上記光源としては、光の３原色である赤（Ｒｅｄ），緑（Ｇｒｅｅｎ），及び青（Ｂｌｕｅ）の色を発色する３色のＬＥＤをユニット化して成る３色ＬＥＤを好適に用いることができる。
この３色ＬＥＤは赤，緑，青の発光強度を様々に変えることによって、全体としての光の色を無段階に連続的に変化させることができ、従って光温度表示部において、吐水温度の変化に連続的に追従して光の色を連続変化させることができる。
【００１８】
本発明においては、透光性部材から成る光温度表示部に、吐水管の基部側に延出する被照射部を設けて、そこに光源からの光を照射するようになすことができる（請求項４）。
このようにすることで、容易に光源から発した光を光温度表示部において外部放射し、光の色によって温度表示することができる。
【００１９】
次に請求項５は、ホルダを回動可能となし、光温度表示部をリング状外周面において吐水管の外周面で露出させ、そのリング状外周面において光の色により温度表示するようになしたもので、このようになしておけば、ホルダないし吐水管がどのような回動位置にあっても、光温度表示部が使用者にとって見易いものとなり、光温度表示部に良好にその表示機能を発揮させることができる。
【発明を実施するための最良の形態】
【００２０】
次に本発明をキッチン用のホース収納式の自動水栓に適用した場合の実施形態を図面に基づいて詳しく説明する。
図１において、１０はキッチンのキャビネットで、１２はカウンターであり、このカウンター１２上に起立する状態で水栓の本体部１４と吐水管１６とが設けられている。ここで吐水管１６は本体部１４に対して所定角度回動可能とされている。
また吐水管１６は、図３に示しているように逆Ｕ字状のグースネック形状をなしている。
同図に示しているように吐水管１６は、先端に吐水口１８を有し、可撓性のホース２０とともに引出し可能な吐水ヘッド２２と、吐水ヘッド２２を収納位置に保持するホルダとしての働きを有する吐水管本体２４とを有している。
【００２１】
図１に示しているように、キャビネット１０の内部には一対の止水栓２８，３０の間の位置においてバルブユニット２６が配設されている。
そしてこのバルブユニット２６の後述の水流入口９２（図５（イ）参照）に対して給水用の元配管（以下単に給水元管と略す）が止水栓２８，分岐継手３２及び接続ホース３４を介して接続されている。
また後述の湯流入口９４（図５（イ）参照）に対して給湯用の元配管（以下単に給湯元管と略す）が、止水栓３０及び接続ホース３６を介して接続されている。
このバルブユニット２６の水流出口及び湯流出口からは水，湯のサプライ管３８，４０が上向きに延び出しており、それらの先端が上記の水栓の本体部１４に接続されて、その本体部１４に水，湯がそれぞれ供給されるようになっている。
【００２２】
本体部１４には後述の混合弁５８（図２参照）が内蔵されていて、その混合弁５８の下流部から水又は湯（混合弁５８で温調された湯）を流出させる流出管４２が下向きに延び出しており、その先端がカプラ４４を介して上記の可撓性のホース２０に接続されている。
ここでホース２０はカプラ４４から上向きに延び出した後、１回転した上で本体部１４，吐水管本体２４を挿通し吐水ヘッド２２に接続されている。
【００２３】
キャビネット１０の内部にはまた浄水器４６が設けられており、バルブユニット２６の上流部において給水元管からの水が分岐継手３２，ホース４８を通じてこの浄水器４６に導かれるようになっている。
浄水器４６は、水道水を後述のフィルタ６６（図２参照）に通して浄化するもので、その浄化後の浄水を流出させるホース５０が浄水器４６から延び出している。
このホース５０の先端はカプラ４４を介して、吐水ヘッド２２に繋がるホース２０に接続されている。
即ち浄水器４６から流出した浄水がホース５０，２０を通じて吐水ヘッド２２に導かれ、その先端の吐水口１８から吐水されるようになっている。
【００２４】
キャビネット１０の内部にはまた、バルブユニット２６の下側において水栓の動作制御のためのコントローラ（制御部）５２が設けられている。
【００２５】
図２に示しているように本実施形態において給水元管，給湯元管からの水，湯は給水路５４，給湯路５６を通じて本体部１４に内蔵された混合弁５８に供給される。
供給された水と湯とはレバーハンドル６０の操作に基づいて所定比率で混合された上、同じくそのレバーハンドル６０の操作に基づいて決定された所定流量で流出路６２を通じ吐水ヘッド２２に送られ、先端の吐水口１８から吐水される。
ここでレバーハンドル６０は、左右回動操作によって水と湯との混合比率の調節即ち温度調節を行い、また上下回動操作によって流量調節を行う。
【００２６】
給水元管からの水はまた、電磁弁６８の上流部で給水路５４から分岐した浄水路６４に取り出され、そして浄水路６４上に設けられた浄水器４６のフィルタ６６を通過してそこで浄化された上で、浄化後の水（浄水）が混合弁５８をバイパスして流出路６２に導かれ、そしてその流出路６２を通じて吐水ヘッド２２の吐水口１８から吐水されるようになっている。
これら給水路５４，給湯路５６及び浄水路６４のそれぞれには流路を開閉する電磁弁６８，７０，７２及び逆流防止をなす逆止弁７４が配設されている。
尚浄水路６４には定流量弁７３が設けられている。
【００２７】
給水路５４からはまた、電磁弁６８の上流部においてバイパス路７６が分岐して延び出しており、その先端が給湯路５６且つ電磁弁７０及び逆止弁７４の下流部に接続されている。
このバイパス路７６上にもまた、流路を開閉する電磁弁７８と逆止弁７４が設けられている。
これら電磁弁６８，７０，７２，７８はそれぞれコントローラ５２に電気的に接続されていて、コントローラ５２によって動作制御される。
【００２８】
本実施形態において、給水路５４と給湯路５６とを連絡するバイパス路７６を設けているのは次のような理由による。
即ちレバーハンドル６０の操作位置が、混合弁５８内における湯の流路を全開、水の流路を全閉状態とする状態にあると、後述する人体検知センサ（水用センサ１１６）による人体検知に基づいて吐水口１８から水吐水させようとしてもこれを行うことができない。
そこで給水路５４と給湯路５６とをバイパス路７６で連絡しておき、混合弁５８内において水の流路が全閉状態にあっても、給水元管からの水をバイパス路７６，給湯路５６，更に流出路６２を通じて吐水口１８へと供給可能となしているのである。
【００２９】
この実施形態の自動水栓では、図１６（Ａ）に示しているように電磁弁６８及び７８が開，電磁弁７０，７２が閉とされることで、給水路５４及びバイパス路７６、更に給湯路５６の一部を通じて給水元管からの水が混合弁５８に送られ、更にその混合弁５８を経由して流出路６２を通じ、吐水口１８から水が吐水（水吐水）される。
また図１６（Ｂ）に示しているように電磁弁６８及び７０が開，電磁弁７２及び７８が閉の状態の下で、給水元管からの水と給湯元管からの湯がそれぞれ給水路５４及び給湯路５６を通じて混合弁５８に送られてそこで混合され、適温の湯とされた上で流出路６２を通じ吐水口１８から湯が吐水（湯吐水）される。
一方図１６（Ｃ）に示しているように電磁弁６８，７０及び７８の何れもが閉で、電磁弁７２のみが開の状態の下では、給水元管からの水が浄水器４６、つまり浄水路６４の側に導かれてフィルタ６６を通り、浄水となって流出路６２を通じ吐水口１８から吐水（浄水吐水）される。
【００３０】
図７に上記混合弁５８の構成が具体的に示してある。
同図に示しているように混合弁５８は、ハウジング８０の内部に固定弁体８２と、その上面を摺動する可動弁体８４とを有しており、その可動弁体８４に対してレバーハンドル６０が作動的に連結されている。
固定弁体８２には水，湯の入口８６，８６が設けられていて、それら入口８６，８６を通じて、サプライ管３８，４０を図中上向きに送られて来た水と湯とが可動弁体８４の混合室８８内に流入する。
そして混合室８８で混合された後の温調後の湯或いは水が出口８９から流出管４２へと流出して、図２の流出路６２を通じ吐水口１８へと導かれる。
【００３１】
図４〜図６に上記バルブユニット２６の構成が具体的に示してある。
これらの図において９０はバルブボデーで、図５に示しているように水流入口９２，湯流入口９４と、それらに連通して給水路５４，給湯路５６の一部をなす内部流路５４ａ，５６ａを有している。
そしてそれら内部流路５４ａ，５６ａ上に電磁弁６８，７０（図６参照）が設けられている。
【００３２】
バルブボデー９０にはまた、図５（ハ）に示しているように上記バイパス路７６の一部を成す分岐流路７６ａが給水用の内部流路５４ａから分岐しており、この分岐流路７６ａ上にバイパス路７６を開閉するための電磁弁７８（図６参照）が設けられている。
バルブボデー９０には更に、図５（イ）に示しているように分岐流路７６ａを給湯路５６に合流させるための、バイパス路７６の残部をなす合流路７６ｂが設けられており、分岐流路７６ａからの水がこの合流路７６ｂによって給湯路５６に合流し、その後給湯路５６を通じて図２の混合弁５８へと送られるようになっている。
【００３３】
上記電磁弁６８，７０，７８は図６（ロ）に示しているように、主弁としてのダイヤフラム弁９８と、その背後に形成された背圧室１００と、背圧室１００の水抜きを行う水抜水路としてのパイロット水路１０２と、パイロット水路１０２を開閉するパイロット弁としてのプランジャ弁１０４と、固定コア１０６と、プランジャ弁１０４を電磁力で動作させるソレノイド１０８とを有している。
この電磁弁６８，７０，７８においては、ソレノイド１０８への通電によりプランジャ弁１０４を開弁させると、パイロット水路１０２が開放されて背圧室１００の圧力が抜け、主弁としてのダイヤフラム弁９８が開弁動作する。
【００３４】
尚、図４（イ）及び図６（イ）に示しているようにバルブボデー９０には内部の水，湯を抜くための水抜栓１１０と、水抜きに際してダイヤフラム弁９８を手動にて開放させるための開放操作部材１１２とが設けられている。
開放操作部材１１２は、摘み１１４を回転操作することでダイヤフラム弁９８を手動で開放させる。
【００３５】
図３に示しているように、逆Ｕ字状のグースネック形状をなす吐水管１６における吐水管本体２４の先端部、詳しくはその最上位の部位から先端に向かって下向きとなる部分の上面に、水用センサ（水用の人体検知センサ）１１６及び湯用センサ（湯用の人体検知センサ）１１８が、所定間隔隔てて管軸方向に一列に配列されている。
ここで水用センサ１１６は使用者に近い手前側に（前側に）、また湯用センサ１１８は奥側に設けられている。従って水用センサ１１６は湯用センサ１１８に対して下位置に、また湯用センサ１１８は水用センサ１１６に対して上位置に位置している。
本実施形態においては、吐水管本体２４の側面においても浄水用センサ（浄水用の人体検知センサ）１２０が設けられている。
尚吐水管本体２４の先端部下面には、吐水やシンク或いはシンク内の容器等に光を照射してほのかに照らし出す光照射部１２２が設けられている。
【００３６】
この実施形態の自動水栓では、水用センサ１１６の上方に手をかざして水用センサ１１６によりこれを検知させると、吐水口１８から水が吐水（水吐水）される。また水吐水状態の下で再び水用センサ１１６の上方に手をかざすと、そこで水吐水が停止する。即ち止水する。
一方湯用センサ１１８の上方に手をかざすと、湯用センサ１１８による手の検知に基づいて、吐水口１８から適正温度に温度調節された湯（温調水）が吐水され、そしてその湯吐水中に再び湯用センサ１１８の上方に手をかざすと、そこで湯吐水が停止する。
【００３７】
一方図１５に示しているように吐水管本体２４の先端部側方に手を差し出すと、浄水用センサ１２０がこれを検知し、吐水口１８から浄水が吐水（浄水吐水）される。また浄水吐水状態の下で再び浄水用センサ１２０に対して手をかざすと、そこで浄水吐水が停止する。
そのようにコントローラ５２が対応する各電磁弁６８，７０，７２，７８を動作制御する。
【００３８】
尚ここでは、水用センサ１１６の検知距離が奥側の湯用センサ１１８の検知距離よりも短く設定されている。
即ち各センサ（水用センサ１１６及び湯用センサ１１８）が差し出された手の指を検知するものと想定して、ここでは水用センサ１１６の検知距離が約２ｃｍ程度、湯用センサ１１８の検知距離が約４ｃｍ程度に設定されている。
【００３９】
図８〜図１１に吐水管１６の内部構造が具体的に示してある。
図８，図９及び図１０に示しているように、吐水管本体２４は金属パイプ１２４と、断面Ｕ字状をなして金属パイプ１２４の内部に挿入され内側においてホース２０をガイドし、また外側において上記各水，湯，浄水用の各センサ１１６，１１８，１２０とコントローラ５２とを連絡する電気配線をガイドする湾曲形状のインナ部材１２６と、その先端側に設けられてホース２０を挿通ガイドする概略筒状のガイド部材１２８と、その下側からこれを覆うガイドカバー１３０とを有している。
【００４０】
図１１に示しているようにこのガイド部材１２８の上面には仕切板１３１が固定されており、そしてその仕切板１３１の上面に上記水用センサ１１６，湯用センサ１１８を有するセンサユニット１３２，１３４が載置固定された上、その上側から樹脂製の透光性のセンサカバー１３６が被せられている。
ガイド部材１２８には、その側面に浄水用センサ１２０が取り付けられている。ガイドカバー１３０は、その浄水用センサ１２０に対応する部分が透光性とされている。
【００４１】
上記湯用センサ１１８は光電式のものであって、図１２（Ａ）に示しているようにこの湯用センサ１１８を有するセンサユニット１３４は基板１４０を有していて、そこに赤外線の発光素子１４２と、受光素子１４４と、センサ制御部としてのマイコン１４６が搭載されている。
基板１４０にはまた、湯吐水状態であるかそうでないかを表示するためのＬＥＤ１４８が搭載されており、湯吐水状態の下ではこのＬＥＤ１４８が点滅し、またそうでないときにはＬＥＤ１４８が点灯保持するようになっている。
【００４２】
一方図１２（Ｂ）に示しているように、水用センサ１１６を有するセンサユニット１３２は、基板１４０に赤外線の発光素子１４２と、受光素子１４４と、更に水吐水中であるか否かを表示するＬＥＤ１５０が搭載されている。
ここでＬＥＤ１５０は水吐水中であれば点滅を行い、またそうでないときには点灯状態を保持して、水吐水中であるか否かを表示する。
このセンサユニット１３２にはまた、基板１４０に現在の吐水温度を表示するための３色（ＲＧＢ）ＬＥＤ１５２が搭載されている。
【００４３】
一方図１２（Ｃ）に示しているように浄水用センサ１２０を有するセンサユニット１３８は、基板１４０に赤外線の発光素子１４２と、受光素子１４４及び浄水吐水中であるか否かを表示するためのＬＥＤ１５４が搭載されている。
このＬＥＤ１５４は浄水吐水中においては点滅動作し、またそうでないときには点灯状態を保持することによって、浄水吐水中であるか否かを表示する。
【００４４】
一方吐水ヘッド２２は、図９に示しているように筒状のコア部材１５６と、これを外周側から覆うカバー１５８とを有しており、そのコア部材１５６に対してホース２０の先端部が水密に接続固定されている。
この吐水ヘッド２２の先端には、吐水口１８からの吐水をストレート吐水からシャワー吐水に又はその逆に切換操作する切換操作部１６０が設けられている。
【００４５】
図１に示しているように、上記カプラ４４には吐水口１８からの吐水の温度をその上流部において事前に検知する温度検知素子としてサーミスタ１７０が取り付けられている。
そして図８及び図９に示しているように、このサーミスタ１７０による温度検知に基づいて吐水の温度ないしその温度変化を光の色ないし色変化によって表示する光温度表示部１６２が吐水管本体２４の先端面近傍、詳しくはここでは吐水管本体２４の先端面と吐水ヘッド２２とによって管軸方向に挟まれる位置に取り付けられている。
【００４６】
この光温度表示部１６２は、図１４に示しているように環状且つ平板状の本体部１７２と、その上部から後方に延出する延出部１６４とを一体に有する透光性の樹脂から成っており、図９の部分拡大図に示しているようにその延出部１６４の下面、詳しくは被照射面１７６（図１４（Ｂ）参照）に対して、上記３色ＬＥＤ１５２からの光が照射されるようになっている。
【００４７】
この透光性樹脂から成る光温度表示部１６２は、本体部１７２の外周面が表示面１７８とされていて、組付状態においてその表示面１７８だけが吐水管１６の外周面で露出せしめられ、表示面１７８で吐水の温度を光の色で表示する。
詳しくは、３色ＬＥＤ１５２から延出部１６４の被照射面１７６に照射された光は透光性樹脂の内部を透過して、外周面の表示面１７８から外部に放射され、その光の色によって吐水の温度を表示する。
そしてその表示面１７８から光を効率高く放射するために、延出部１６４の被照射面１７６及び外周面の表示面１７８以外の面に白色塗料が塗布してある。
【００４８】
この光温度表示部１６２は、図１４に示しているように延出部１６４の下面に掛止爪１８０を、また本体部１７２の下部に切欠部１８２を有しており、図１３に示しているようにその掛止爪１８０をガイド部材１２８に設けた上向きの引掛部１８４に弾性的に掛止させ、更にまた下部の切欠部１８２に対して、ガイドカバー１３０に設けた係入部１８６を係入させる状態に、吐水管本体２４に組み付けられている。
【００４９】
上記３色ＬＥＤ１５２は色の３原色である赤（Ｒｅｄ），緑（Ｇｒｅｅｎ），及び青（Ｂｌｕｅ）を発色するＬＥＤをユニット化したもので、上記サーミスタ１７０よる温度検知に基づいて連続的に光の色を変化させる。
光温度表示部１６２は、その光の色及び色変化を連続的に外部に放射して吐水温度を表示する。
【００５０】
即ち吐水温度が低いときには青色を、吐水温度が高いときには赤色を、中間のときにはそれらに応じた色を発色して現在の吐水温度がどのような温度であるかをその色変化によって表示する。
【００５１】
本実施形態では、浄水用センサ１２０，湯用センサ１１８及び水用センサ１１６が実質的に同時に手を検知した場合には、浄水用センサ１２０による検知が最も優先し、その次に湯用センサ１１８による検知が優先するようになっている。
詳しくは、浄水用センサ１２０が手を検知したときには一定時間他のセンサ即ち湯用センサ１１８及び水用センサ１１６の検知が無効化され、一定時間経過後に湯用センサ１１８，水用センサ１１６による検知が有効化される。
また湯用センサ１１８が手を検知したときには、一定時間水用センサ１１６による検知が無効化され、一定時間経過後に水用センサ１１６による検知が有効化される。
コントローラ５２がそのように吐水の動作を制御する。
【００５２】
図１７に示しているように、本実施形態においては光温度表示部１６２が、吐水管本体２４の側に且つ吐水管本体２４の先端面と吐水ヘッド２２の後端面とによって管軸方向に挟まれる位置に設けてあることから、更にはまたその外周面を表示面１７８となして、その表示面１７８において吐水温度を光表示することから、（Ａ）に示しているように吐水ヘッド２２を吐水管本体２４にセットした状態、即ちホース２０を収納した状態においても、また（Ｂ）に示しているように吐水ヘッド２２を吐水管本体２４から引き出した状態においても明確に吐水温度を光表示することができる。
【００５３】
かかる本実施形態においては、吐水ヘッド２２を手に持ち引き出した状態で、光温度表示部１６２による表示を見ることができ、しかも使用者に可及的に近い位置で表示を見ることができ、吐水口１８からの吐水の温度を容易に認識することができる。
【００５４】
また本実施形態では吐水の温度を光の色で表示するため、使用者が特に意識をしていなくても自然にその光表示が目に入って来、予期に反して高温の湯が出てしまったり或いは冷水が出てしまったりといった不都合を是正することができる。
【００５５】
また本実施形態では３色ＬＥＤ１５２からの光が直接外部に放射されるのでなく、透光性部材から成る光温度表示部１６２を内部透過した上、外周面の表示面１７８から放射されるため、光温度表示部１６２の外周面全面から広い範囲に亘って均等に外部に放射でき、表示性能，識別性能を効果的に高めることができる。
【００５６】
また本実施形態ではホルダとしての吐水管本体２４を回動可能とし、光温度表示部１６２をリング状外周面の表示面１７８で温度表示するようになしているため、吐水管本体２４ないし吐水管１６がどのような回動位置にあっても、光温度表示部１６２が使用者にとって見易いものとなり、光温度表示部１６２に良好にその表示機能を発揮させることができる。
【００５７】
図１８及び図１９は本発明の他の実施形態を示している。
この実施形態では、給水元管からの水及び給湯元管からの湯をそれぞれ上記のようなバルブユニットを経由することなく、直接本体部１４内の混合弁５８に供給するようにし、そして流出路６２を構成する流出管４２とホース２０とを接続するカプラ１９０に、流出路６２を開閉する電磁弁１９２を設けている。
即ちここでは、温調された湯を吐水口１８から吐水させ又は止水するための電磁弁１９２を混合弁５８の２次側に設けている。
【００５８】
また一方、混合弁５８の上流部において給水路５４から第２の給水路１９４を分岐して延び出させ、その先端を流出路６２且つ電磁弁１９２の下流部に接続している。
この第２の給水路１９４上には、定流量弁７３と第２の給水路１９４を開閉する電磁弁１９６とが設けてある。
【００５９】
一方吐水管１６には、その上面に湯用センサ１１８と水用センサ１１６とが管軸方向に一列に設けられている。
但しここでは湯用センサ１１８が使用者に近い手前側（前側）に、また水用センサ１１６が奥側に設けられている。
【００６０】
この実施形態においても、使用者に近い手前側の湯用センサ１１８の検知距離が奥側の水用センサ１１６の検知距離よりも短く設定してあり、また湯用センサ１１８と水用センサ１１６とが実質的に同時に人体検知したときには、奥側の水用センサ１１６による人体検知が優先するようになしてある。
この実施形態では、第２の給水路１９４からの水が混合弁５８をバイパスして吐水口１８から水吐水されることから、水吐水の際の流量調節の機能は有しておらず、一定流量で吐水口１８から水吐水される。
【００６１】
図１９にカプラ１９０の内部構造が具体的に示してある。
同図に示しているように、ここではカプラ１９０に吐水の温度をその上流部で検出するための温度検出素子としてのサーミスタ１７０が電磁弁１９２と併せて組み付けられている。
更にまたこのカプラ１９０には、水抜栓１１０と電磁弁１９２の主弁をなすダイヤフラム弁９８を開放させる開放操作部材１１２が組み込まれている。
【００６２】
図２０は本発明の更に他の実施形態を示したもので、ここでは第２の給水路１９４に代えて浄水路６４を設け、それに対応して吐水管１６の上面に湯用センサ１１８と浄水用センサ１２０とを管軸方向に一列に且つ湯用センサ１１８を使用者に近い手前側に、浄水用センサ１２０を奥側に設けている。
この例においても、湯用センサ１１８及び浄水用センサ１２０のうち、使用者に近い手前側の湯用センサ１１８に対して奥側の浄水用センサ１２０が優先され、またその検知距離は、奥側の浄水用センサ１２０に対し手前側の湯用センサ１１８の検知距離が短く設定されている。
この実施形態の場合、水吐水に代えて浄水吐水が行われる以外は図１８及び図１９に示す実施形態と基本的に同様である。
【００６３】
図２１は本発明の更に他の実施形態を示している。
この実施形態は、図１８及び図１９に示す第２の給水路１９４，図２０の実施形態における浄水路６４を省略した形態のもので、吐水管１６には湯用センサ１１８のみが設けられている。
他の点については図１８〜図２０に示す実施形態と同様である。
【００６４】
以上本発明の実施形態を詳述したがこれはあくまで一例示であり、本発明はその趣旨を逸脱しない範囲において種々変更を加えた形態で構成可能である。
【図面の簡単な説明】
【００６５】
【図１】本発明の一実施形態である自動水栓を示す図である。
【図２】同実施形態の自動水栓の流路を示す図である。
【図３】同実施形態の吐水管と各種センサを示す図である。
【図４】同実施形態のバルブユニットを示す斜視図である。
【図５】図４のバルブユニットを互いに異なる切断面で切断して示す斜視図である。
【図６】図４のバルブユニットの図５とは異なった切断面における断面図である。
【図７】同実施形態における混合弁を示す図である。
【図８】図３の吐水管の内部構造を示す断面図である。
【図９】図８における吐水ヘッドを吐水管本体から離した際の図である。
【図１０】図８の分解斜視図である。
【図１１】図１０の一部を詳しく示した図である。
【図１２】同実施形態における各人体検知センサを示した図である。
【図１３】光温度表示部をその組付構造とともに示す図である。
【図１４】光温度表示部の単品の図である。
【図１５】浄水吐水を行う際の図である。
【図１６】同実施形態における流路切換えの説明図である。
【図１７】同実施形態における光温度表示部の作用状態を示す図である。
【図１８】本発明の更に他の実施形態を示す図である。
【図１９】図１８におけるカプラの内部構造を詳しく示した図である。
【図２０】本発明の更に他の実施形態を示す図である。
【図２１】本発明の更に他の実施形態を示す図である。
【符号の説明】
【００６６】
１６  吐水管
２０  ホース
１５２  ３色ＬＥＤ
１６２  光温度表示部
１７６  被照射面
【図１】
2006144331.tif 000003
【図２】
2006144331.tif 000004
【図３】
2006144331.tif 000005
【図４】
2006144331.tif 000006
【図５】
2006144331.tif 000007
【図６】
2006144331.tif 000008
【図７】
2006144331.tif 000009
【図８】
2006144331.tif 000010
【図９】
2006144331.tif 000011
【図１０】
2006144331.tif 000012
【図１１】
2006144331.tif 000013
【図１２】
2006144331.tif 000014
【図１３】
2006144331.tif 000015
【図１４】
2006144331.tif 000016
【図１５】
2006144331.tif 000017
【図１６】
2006144331.tif 000018
【図１７】
2006144331.tif 000019
【図１８】
2006144331.tif 000020
【図１９】
2006144331.tif 000021
【図２０】
2006144331.tif 000022
【図２１】
2006144331.tif 000023